(57)【要約】【課題】環境変化によって透過型スクリーンに反りおよび撓みが発生することを抑制し、かつ、透過型スクリーンを安定的に保持するとともに透過型スクリーンの平面性能を維持しセパレーションの発生を抑制可能な技術を提供することを目的とする。【解決手段】スクリーン支持体３は、後方側端部に設けられる係合部１５を備えている。スクリーン保持枠４は、前方側端部に設けられかつ係合部１５が挿入可能な通路１７と、通路１７の後方で当該通路１７と連通しかつ係合部１５と係合可能な係合溝１７ａとを備えている。スクリーン支持体３およびスクリーン保持枠４は、係合部１５を通路１７に挿入し係合溝１７ａに係合させ摺動可能な状態で、固定ネジ１２を用いてスクリーン保持枠４の各辺の中心部近傍のみで固定されている。【選択図】図２
2016200613.tif 000002
【特許請求の範囲】
【請求項１】
投射ユニットと、
前記投射ユニットから投射される映像を背面から投影される透過型スクリーンと、
前記透過型スクリーンの端縁部に固定されるスクリーン支持体と、
前記スクリーン支持体を介して前記透過型スクリーンを摺動可能に保持するスクリーン保持枠と、
を備え、
前記スクリーン支持体は、後方側端部に設けられる係合部を備え、
前記スクリーン保持枠は、前方側端部に設けられかつ前記係合部が挿入可能な通路と、前記通路の後方で当該通路と連通しかつ前記係合部と係合可能な係合溝とを備え、
前記スクリーン支持体および前記スクリーン保持枠は、前記係合部を前記通路に挿入し前記係合溝に係合させ摺動可能な状態で、固定ネジを用いて前記スクリーン保持枠の各辺の中心部近傍のみで固定される、背面投射型映像表示装置。
【請求項２】
投射ユニットと、
前記投射ユニットから投射される映像を背面から投影される透過型スクリーンと、
前記透過型スクリーンの端縁部に固定されるスクリーン支持体と、
前記スクリーン支持体を介して前記透過型スクリーンを摺動可能に保持するスクリーン保持枠と、
を備え、
前記スクリーン支持体は、後方側端部に設けられる外れ防止溝を備え、
前記スクリーン保持枠は、前記スクリーン支持体の後方側端部が挿入可能な通路を備え、
前記スクリーン支持体および前記スクリーン保持枠は、前記スクリーン支持体の後方側端部を前記通路に挿入し摺動可能な状態で、固定ネジを用いて前記スクリーン保持枠の各辺の中心部近傍のみで固定されるとともに、前記外れ防止溝に外れ防止ネジが螺合される、背面投射型映像表示装置。
【請求項３】
前記固定ネジは段付きネジである、請求項１または請求項２記載の背面投射型映像表示装置。
【請求項４】
投射ユニットから投射される映像を透過型スクリーンの背面から投影する背面投射型映像表示装置のスクリーン保持構造であって、
前記透過型スクリーンの端縁部に固定されるスクリーン支持体と、
前記スクリーン支持体を介して前記透過型スクリーンを摺動可能に保持するスクリーン保持枠と、
を備え、
前記スクリーン支持体は、後方側端部に設けられる係合部を備え、
前記スクリーン保持枠は、前方側端部に設けられかつ前記係合部が挿入可能な通路と、前記通路の後方で当該通路と連通しかつ前記係合部と係合可能な係合溝とを備え、
前記スクリーン支持体および前記スクリーン保持枠は、前記係合部を前記通路に挿入し前記係合溝に係合させ摺動可能な状態で、固定ネジを用いて前記スクリーン保持枠の各辺の中心部近傍のみで固定される、スクリーン保持構造。
【請求項５】
投射ユニットから投射される映像を透過型スクリーンの背面から投影する背面投射型映像表示装置のスクリーン保持構造であって、
前記透過型スクリーンの端縁部に固定されるスクリーン支持体と、
前記スクリーン支持体を介して前記透過型スクリーンを摺動可能に保持するスクリーン保持枠と、
を備え、
前記スクリーン支持体は、後方側端部に設けられる外れ防止溝を備え、
前記スクリーン保持枠は、前記スクリーン支持体の後方側端部が挿入可能な通路を備え、
前記スクリーン支持体および前記スクリーン保持枠は、前記スクリーン支持体の後方側端部を前記通路に挿入し摺動可能な状態で、固定ネジを用いて前記スクリーン保持枠の各辺の中心部近傍のみで固定されるとともに、前記外れ防止溝に外れ防止ネジが螺合される、スクリーン保持構造。
【発明の詳細な説明】
【技術分野】
【０００１】
本発明は、大型画面を構成するマルチビジョン用の背面投射型映像表示装置、および背面投射型映像表示装置のスクリーン保持構造に関するものである。
【背景技術】
【０００２】
近年、監視またはインフォメーション用途として大型ディスプレイが注目を浴びている。大画面を構成する方法としては、複数の背面投射型映像表示装置（リア投射型プロジェクター）を上下左右に組み合わせて構成されるマルチビジョンが一般的である。背面投射型映像表示装置は、投射ユニットから投射される映像を透過型スクリーンの背面から投影して表示する装置である。
【０００３】
従来のマルチビジョン用の背面投射型映像表示装置としては、透過性のシート状部材を複数枚重ね合わせて構成されるスクリーンと、当該スクリーンの背面においてスクリーンを支持する支持部材(遮光板)とスクリーンの背面に向けて映像を投影する投射ユニットとを備え、スクリーンの側面(端面)に粘着シートを貼り付けることでスクリーンを構成する複数枚のシート状部材同士を連結している装置が開示されている（例えば、特許文献１参照）。複数のシート状部材は、結像および拡散を目的とするレンチキュラーレンズと、光源からの光を平行にするフレネルレンズとを重ね合わせ、重ね合わせた側面（端面）の周囲が第１の粘着テープ、第２の粘着テープ、およびツメ付きの付勢金具によって固定され保持されている。
【０００４】
樹脂製のフレネルレンズ端縁部に沿った外周に遮光板が接着されており、レンチキュラーレンズは２種類の粘着テープでフレネルレンズおよび遮光板に固定されて一体化され、さらに付勢金具によって保持されている。遮光板は、金属枠に多数個のネジで取り付けられてスクリーンを保持し、環境の変化に起因したスクリーンの寸法変化に対応する構造としている。
【先行技術文献】
【特許文献】
【０００５】
【特許文献１】特開２００６−２５９２２９号公報
【発明の概要】
【発明が解決しようとする課題】
【０００６】
特許文献１に記載の構造では、スクリーンを構成するフレネルレンズに接着された遮光板とその支持部材が金属枠全周にネジで固定されている。この場合に、２つの事象が知られている。１つ目は、樹脂材料で構成される遮光板と金属枠間で発生する線膨張差による伸縮の動きの差はフレネルレンズにストレスを与えることである。２つ目は、遮光板とフレネルレンズは類似樹脂材料で構成されてはいるが、全く同じ樹脂材料ではないため僅かな伸縮差が発生することでフレネルレンズにストレスを与えたり、遮光板自身が撓んだりして、スクリーンの平面度劣化およびセパレーションの問題が発生することである。
【０００７】
１つ目の事象の改善策として、金属枠との線膨張差による伸縮の動きの差は通常遮光板側のネジ穴を長穴加工することで遮光板は摺動しスクリーン側へストレスを削減する構造などが用いられている。しかし、ネジを使用した固定による局部的な締付け力は依然として残るため遮光板の伸縮の動きが制約され、フレネルレンズに対して反りおよび撓みの症状を与えることになる。また、２つ目の事象の改善策としては、遮光板の樹脂板厚をできるだけ薄く加工し、より柔軟性を持たせることでフレネルレンズへの影響を抑えている。しかし、スクリーン保持強度上の問題もあり板厚を薄くすることには限度がある。
【０００８】
そこで、本発明は、環境変化によって透過型スクリーンに反りおよび撓みが発生することを抑制し、かつ、透過型スクリーンを安定的に保持するとともに透過型スクリーンの平面性能を維持しセパレーションの発生を抑制可能な技術を提供することを目的とする。
【課題を解決するための手段】
【０００９】
本発明に係る背面投射型映像表示装置は、投射ユニットと、前記投射ユニットから投射される映像を背面から投影される透過型スクリーンと、前記透過型スクリーンの端縁部に固定されるスクリーン支持体と、前記スクリーン支持体を介して前記透過型スクリーンを摺動可能に保持するスクリーン保持枠とを備え、前記スクリーン支持体は、後方側端部に設けられる係合部を備え、前記スクリーン保持枠は、前方側端部に設けられかつ前記係合部が挿入可能な通路と、前記通路の後方で当該通路と連通しかつ前記係合部と係合可能な係合溝とを備え、前記スクリーン支持体および前記スクリーン保持枠は、前記係合部を前記通路に挿入し前記係合溝に係合させ摺動可能な状態で、固定ネジを用いて前記スクリーン保持枠の各辺の中心部近傍のみで固定されるものである。
【００１０】
本発明に係る別の背面投射型映像表示装置は、投射ユニットと、前記投射ユニットから投射される映像を背面から投影される透過型スクリーンと、前記透過型スクリーンの端縁部に固定されるスクリーン支持体と、前記スクリーン支持体を介して前記透過型スクリーンを摺動可能に保持するスクリーン保持枠とを備え、前記スクリーン支持体は、後方側端部に設けられる外れ防止溝を備え、前記スクリーン保持枠は、前記スクリーン支持体の後方側端部が挿入可能な通路を備え、前記スクリーン支持体および前記スクリーン保持枠は、前記スクリーン支持体の後方側端部を前記通路に挿入し摺動可能な状態で、固定ネジを用いて前記スクリーン保持枠の各辺の中心部近傍のみで固定されるとともに、前記外れ防止溝に外れ防止ネジが螺合されるものである。
【００１１】
本発明に係るスクリーン保持構造は、投射ユニットから投射される映像を透過型スクリーンの背面から投影する背面投射型映像表示装置のスクリーン保持構造であって、前記透過型スクリーンの端縁部に固定されるスクリーン支持体と、前記スクリーン支持体を介して前記透過型スクリーンを摺動可能に保持するスクリーン保持枠とを備え、前記スクリーン支持体は、後方側端部に設けられる係合部を備え、前記スクリーン保持枠は、前方側端部に設けられかつ前記係合部が挿入可能な通路と、前記通路の後方で当該通路と連通しかつ前記係合部と係合可能な係合溝とを備え、前記スクリーン支持体および前記スクリーン保持枠は、前記係合部を前記通路に挿入し前記係合溝に係合させ摺動可能な状態で、固定ネジを用いて前記スクリーン保持枠の各辺の中心部近傍のみで固定されるものである。
【００１２】
本発明に係る別のスクリーン保持構造は、投射ユニットから投射される映像を透過型スクリーンの背面から投影する背面投射型映像表示装置のスクリーン保持構造であって、前記透過型スクリーンの端縁部に固定されるスクリーン支持体と、前記スクリーン支持体を介して前記透過型スクリーンを摺動可能に保持するスクリーン保持枠とを備え、前記スクリーン支持体は、後方側端部に設けられる外れ防止溝を備え、前記スクリーン保持枠は、前記スクリーン支持体の後方側端部が挿入可能な通路を備え、前記スクリーン支持体および前記スクリーン保持枠は、前記スクリーン支持体の後方側端部を前記通路に挿入し摺動可能な状態で、固定ネジを用いて前記スクリーン保持枠の各辺の中心部近傍のみで固定されるとともに、前記外れ防止溝に外れ防止ネジが螺合されるものである。
【発明の効果】
【００１３】
本発明によれば、環境変化によって透過型スクリーンおよびスクリーン支持体に温度と湿度に起因する伸縮が発生した場合、スクリーン支持体は固定ネジを用いて固定された各辺の中央部近傍を中心としてスクリーン保持枠の通路内を摺動する。これにより、スクリーン支持体に対して局部的な締付けストレスが発生せず、透過型スクリーンにおける伸縮ストレスを抑制し透過型スクリーンを安定的に保持できるため、透過型スクリーンの平面性能の維持およびセパレーションの抑制が可能となる。
【００１４】
さらに、スクリーン支持体は各辺の中央部近傍を中心としてスクリーン保持枠の通路内を摺動することで、スクリーン支持体の形状が維持されるため、透過型スクリーンの反りおよび撓みを抑制できる。
【図面の簡単な説明】
【００１５】
【図１】実施の形態１に係る背面投射型映像表示装置の斜視図である。
【図２】実施の形態１に係る背面投射型映像表示装置の部分断面図である。
【図３】実施の形態１においてスクリーン支持体とスクリーン保持枠とを分離した状態を示す部分断面図である。
【図４】実施の形態２に係る背面投射型映像表示装置の斜視図である。
【図５】実施の形態２に係る背面投射型映像表示装置の部分断面図である。
【図６】実施の形態２においてスクリーン支持体とスクリーン保持枠とを分離した状態を示す部分断面図である。
【図７】前提技術に係る背面投射型映像表示装置を用いて構成されたマルチビジョンの斜視図である。
【発明を実施するための形態】
【００１６】
＜前提技術＞
最初に前提技術について説明する。図７は、前提技術に係る背面投射型映像表示装置を用いて構成されたマルチビジョンの斜視図であり、より具体的には、前提技術に係る背面投射型映像表示装置を４台組み合わせて構成されたマルチビジョンの斜視図である。
【００１７】
図７に示すように、前提技術に係る背面投射型映像表示装置は、キャビネット１、スクリーンユニット２、スクリーン支持体３およびスクリーン保持枠４を備えている。スクリーンユニット２は、前面側に配置されるレンチキュラーレンズと、背面側に配置されるフレネルレンズとを備えている。レンチキュラーレンズは、その中心部に螺合されるネジ２０でフレネルレンズに固定されている。このようにレンチキュラーレンズおよびフレネルレンズの中心部をネジ２０で固定することは、環境変化でのセパレーション防止対策として一般的に知られている。また、スクリーン支持体３とスクリーン保持枠４はスクリーン押さえ板金２１で固定されている。
【００１８】
マルチビジョンは、例えば、垂直方向に２つ、水平方向に２つの背面投射型映像表示装置を組み合わせて構成されている。水平方向に配置された２つの背面投射型映像表示装置間の水平方向におけるスクリーン間隔（以下「目地幅」という）をＷＡ、垂直方向に配置された２つの背面投射型映像表示装置間の垂直方向における目地幅をＷＢとしている。なお、目地幅ＷＡ，ＷＢは各スクリーンユニット２を保持するための粘着テープ１４、スクリーン押さえ板金２１の板厚み、およびスクリーンユニット２の温度と湿度などの環境変化に起因する寸法変化を考慮して決定される伸縮裕度を含むように設定されている。
【００１９】
＜実施の形態１＞
本発明の実施の形態１について、図面を用いて以下に説明する。図１は、実施の形態１に係る背面投射型映像表示装置の斜視図である。図２は、背面投射型映像表示装置の部分断面図であり、図１のS1-S1線またはS2-S2線断面図である。図３は、スクリーン支持体３とスクリーン保持枠４とを分離した状態を示す部分断面図である。
【００２０】
図１に示すように、背面投射型映像表示装置は、単独または複数並べてマルチビジョンとして使用される装置である。背面投射型映像表示装置は、キャビネット１、投射ユニット７、スクリーンユニット２（透過型スクリーン）、スクリーン支持体３および金属製のスクリーン保持枠４を備えている。投射ユニット７は、一般的に知られた背面投射での映像表示機能を有する装置であるため説明を省略する。スクリーンユニット２は、投射ユニット７から投射される映像を背面から投影されるスクリーンであり、前面側に配置される樹脂製のレンチキュラーレンズ５（図２と図３参照）と、背面側に配置される樹脂製のフレネルレンズ６（図２と図３参照）とを備えている。図１においてスクリーンユニット２、スクリーン支持体３およびスクリーン保持枠４は、スクリーン支持体３が固定ネジ１２によってスクリーン保持枠４に４か所（４つの辺）で固定されることで、一体化された状態を示している。
【００２１】
次に、スクリーンユニット２、スクリーン支持体３およびスクリーン保持枠４の詳細な構成について図２と図３を用いて説明する。なお、この断面形状は、上下左右の４辺ともに同一な形状である。スクリーン支持体３の先端部はフレネルレンズ６の端縁部に接着剤で固定され、レンチキュラーレンズ５は粘着テープ１４によってフレネルレンズ６とスクリーン支持体３に固定されることで、スクリーンユニット２とスクリーン支持体３は一体化されている。スクリーン支持体３の後方側端部はスクリーン保持枠４の前方側端部に挿入された状態で固定ネジ１２によって固定されることで、スクリーンユニット２、スクリーン支持体３およびスクリーン保持枠４は一体化されている。
【００２２】
スクリーン支持体３の後方側端部にフック形状の係合部１５が設けられ、スクリーン支持体３における係合部１５の前方に固定ネジ１２が挿通可能な貫通穴１６が設けられている。スクリーン支持体３における貫通穴１６が設けられている部分およびその周辺部は係合部１５の厚みよりも薄い厚みに形成されている。スクリーン支持体３は、貫通穴１６が設けられている部分から係合部１５に渡って緩やかな下向きの傾斜状に形成されている。
【００２３】
スクリーン保持枠４の前方側端部に係合部１５が挿入可能な通路１７が設けられ、通路１７の後方で通路１７と連通しかつ係合部１５と係合可能な係合溝１７ａが設けられている。また、通路１７におけるスクリーン支持体３の貫通穴１６に対応する位置には、段付きネジである固定ネジ１２が螺合可能なネジ穴１８が設けられている。係合溝１７ａは、係合部１５の外形よりも大きな寸法に形成されているため、係合溝１７ａと係合部１５は摺動可能に係合するように構成されている。スクリーン保持枠４の通路１７は、ネジ穴１８から係合溝１７ａの手前に渡って緩やかな下向きの傾斜状に形成されている。
【００２４】
スクリーン支持体３とスクリーン保持枠４は、係合部１５を通路１７に挿入し係合溝１７ａに係合させ摺動可能な状態で、貫通穴１６を介して固定ネジ１２をネジ穴１８に螺合させることで、固定ネジ１２によって背面投射型映像表示装置の機械的中心位置であるスクリーン保持枠４の各辺の中心部またはその周辺部のみで固定されている。これにより、スクリーン保持枠４は、スクリーン支持体３を介してスクリーンユニット２を摺動可能に保持することができる。
【００２５】
係合溝１７ａは、係合部１５の外形よりも大きな寸法に形成されているため、スクリーン支持体３を僅かな挿入力でスクリーン保持枠４に係合させることができ、スクリーン支持体３とスクリーン保持枠４とを一体化することができる。スクリーン支持体３の係合部１５はスクリーン保持枠４の係合溝１７ａに係合されるため、スクリーン支持体３はスクリーン保持枠４から外れたり飛び出したりすることはなく、スクリーン保持枠４に保持される。
【００２６】
以上のように、実施の形態１に係る背面投射型映像表示装置では、環境変化によってスクリーンユニット２およびスクリーン支持体３に温度と湿度に起因する伸縮が発生した場合、スクリーン支持体３は固定ネジ１２を用いて固定された各辺の中央部近傍を中心としてスクリーン保持枠４の通路１７内を摺動する。これにより、スクリーン支持体３に対して局部的な締付けストレスが発生せず、スクリーンユニット２における伸縮ストレスを抑制しスクリーンユニット２を安定的に保持できるため、スクリーンユニット２の平面性能の維持およびセパレーションの抑制が可能となる。
【００２７】
さらに、スクリーン支持体３は各辺の中央部近傍を中心としてスクリーン保持枠４の通路１７内を摺動することで、スクリーン支持体３の形状が維持されるため、スクリーンユニット２の反りおよび撓みを抑制できる。以上より、背面投射型映像表示装置の耐久性が向上し長期使用が可能となる。
【００２８】
以上説明したスクリーン保持構造を採用することで、前提技術で使用されていたネジ２０およびスクリーン押さえ板金２１などのスクリーンの平面度維持部品およびテープの剥がれ防止部品の廃止が可能となる。さらに、背面投射型映像表示装置の機械的中心位置のみを固定ネジ１２で固定するため、必要な固定ネジ１２の個数が減少する。以上より、背面投射型映像表示装置の製造コストを低減することが可能となる。
【００２９】
固定ネジ１２は段付きネジであるため、固定ネジ１２の頭部を糸などで結ぶことで背面投射型映像表示装置の機械的中心位置を示すことができマルチビジョンの画郭調整を容易に行うことができる。
【００３０】
＜実施の形態２＞
次に、実施の形態２に係る背面投射型映像表示装置について説明する。図４は、実施の形態２に係る背面投射型映像表示装置の斜視図であり、図５は、背面投射型映像表示装置の部分断面図であり、図６は、スクリーン支持体３とスクリーン保持枠４とを分離した状態を示す部分断面図である。なお、実施の形態２において、実施の形態１で説明したものと同一の構成要素については同一符号を付して説明は省略する。
【００３１】
実施の形態１では、係合溝１７ａに係合する係合部としてフック形状の係合部１５を設けたが、フック形状の係合部１５を係合溝１７ａに係合させる構造である。さらに、スクリーン支持体３は、貫通穴１６が設けられている部分から係合部１５に渡って緩やかな下向きの傾斜状に形成され、かつ、スクリーン保持枠４の通路１７は、ネジ穴１８から係合溝１７ａの手前に渡って緩やかな下向きの傾斜状に形成されているため、一旦係合溝１７ａと係合すると、サービス時における修理作業でのスクリーン支持体３とスクリーン保持枠４の分離作業が難しくなる可能性がある。この点を改善したものが実施の形態２である。
【００３２】
図４に示すように、スクリーンユニット２、スクリーン支持体３およびスクリーン保持枠４は、スクリーン支持体３が固定ネジ１２によってスクリーン保持枠４に４か所（４つの辺）で固定されることで一体化されている。さらに、スクリーン支持体３は外れ防止ネジ１０によってスクリーン保持枠４の各辺の両端部に固定されている。
【００３３】
図５と図６に示すように、スクリーン支持体３の後方側端部に外れ防止用溝１１が設けられ、外れ防止用溝１１の前方に貫通穴１６が設けられている。スクリーン支持体３は、貫通穴１６が設けられる部分から外れ防止用溝１１が設けられる部分に渡って直線状に形成されている。
【００３４】
スクリーン保持枠４の通路１７は、スクリーン支持体３の後方側端部が挿入可能に直線状に形成されている。スクリーン保持枠４における外れ防止用溝１１と対応する位置、より具体的にはネジ穴１８の前方に、外れ防止ネジ１０が挿通可能な貫通穴１９が設けられている。
【００３５】
スクリーン支持体３とスクリーン保持枠４は、スクリーン支持体３の後方側端部を通路１７に挿入し摺動可能な状態で、貫通穴１６を介して固定ネジ１２をネジ穴１８に螺合させることで、固定ネジ１２を用いて背面投射型映像表示装置の機械的中心位置であるスクリーン保持枠４の各辺の中心部またはその周辺部のみで固定されている。さらに、貫通穴１９を介して外れ防止用溝１１に外れ防止ネジ１０が螺合されている。これにより、スクリーン保持枠４は、スクリーン支持体３を介してスクリーンユニット２を摺動可能に保持することができる。環境変化によってスクリーンユニット２およびスクリーン支持体３に温度と湿度に起因する伸縮が発生した場合、スクリーン支持体３は、スクリーン保持枠４に対して外れ防止ネジ１０をガイドとして摺動する。
【００３６】
以上のように、実施の形態２に係る背面投射型映像表示装置では、環境変化によってスクリーンユニット２およびスクリーン支持体３に温度と湿度に起因する伸縮が発生した場合、スクリーン支持体３は固定ネジ１２を用いて固定された各辺の中央部近傍を中心としてスクリーン保持枠４の通路１７内を摺動する。これにより、スクリーン支持体３に対して局部的な締付けストレスが発生せず、スクリーンユニット２における伸縮ストレスを抑制しスクリーンユニット２を安定的に保持できるため、スクリーンユニット２の平面性能の維持およびセパレーションの抑制が可能となる。
【００３７】
さらに、スクリーン支持体３は各辺の中央部近傍を中心としてスクリーン保持枠４の通路１７内を摺動することで、スクリーン支持体３の形状が維持されるため、スクリーンユニット２の反りおよび撓みを抑制できる。
【００３８】
また、スクリーン支持体３とスクリーン保持枠４とを係合させる構造ではないことから、固定ネジ１２および外れ防止ネジ１０を外すことでスクリーン支持体３とスクリーン保持枠４とを簡単に分離することができ、サービス時における修理作業をスムーズに行うことが可能となる。
【００３９】
本発明は、複数枚のレンズを使用して構成されたスクリーン構造を有し、所定のスクリーン間の密着性能および平面度性能を必要とする映像表示装置に適用可能である。
【００４０】
なお、本発明は、その発明の範囲内において、各実施の形態を自由に組み合わせたり、各実施の形態を適宜、変形、省略することが可能である。
【符号の説明】
【００４１】
２  スクリーンユニット、３  スクリーン支持体、４  スクリーン保持枠、７  投射ユニット、１０  外れ防止ネジ、１１  外れ防止溝、１２  固定ネジ、１５  係合部、１７  通路、１７ａ  係合溝。
【図１】
2016200613.tif 000003
【図２】
2016200613.tif 000004
【図３】
2016200613.tif 000005
【図４】
2016200613.tif 000006
【図５】
2016200613.tif 000007
【図６】
2016200613.tif 000008
【図７】
2016200613.tif 000009